(57)【要約】      （修正有）【課題】色々な方式の写真立てを、簡単な組み立工程で時計付き写真立てにする事を可能にする時計付き写真立てに於いて、縦置き式にも横置き式にする事を可能にするとともに、表示物の表示主体を避けた位置に表示時針を移動する事を可能にする。【解決手段】磁石を固着した時針を装着した時計ムーブメント１００をケーシングして磁気誘動時計モジュール５００としてこれを時計付き真立ての部品として汎用的に利用する。磁気誘動時計モジュール５００を縦方向と横方向に自在に取付可能にして、数字を使わない時計目盛りにする。磁気誘動時計モジュール５００を上下左右に移動自在に取付可能にして、表示物の表示主体を避けた位置に被磁気誘動表示針を追従移動させる。【選択図】図１
2017049113.tif 000002
【特許請求の範囲】
【請求項１】
被磁気誘動表示針と、これを一定の空隙を隔てて磁気誘動駆動する磁気誘動駆動針からなる時計機能付き写真立に於いて、時計ムーブメントに磁気誘動駆動針を装着し、時刻合わせ用のノブ穴及び電池出入れ穴を具備した筐体で覆い、前面を塞ぎ板で封入してなる磁気誘動時計モジュール
【請求項２】
取付耳片を筐体前端面よりも固定板の板厚分だけ後退させて具備する事を特徴とする請求項１記載の磁気誘動時計モジュール
【請求項３】
磁気誘動時計モジュールを固定板の一隅に取付し、この磁気誘動時計モジュールの前面に対向して、被磁気誘動表示針を有する透明前面板を設置し、前記空隙に表示物を差し替え可能に表示する時計付き写真立て
【請求項４】
磁気誘動時計モジュールが台座を兼ねる固定板に縦向と横向きに取付角度を変えて取り付けられる手段を有し、透明前面板に時刻表示のない時計目盛りがなされる事を特徴とする請求項３記載の時計付き写真立て
【請求項５】
被磁気誘動時計目盛板を磁気誘動移動させる磁石を有する磁気誘動時計モジュールが、固定体に幅方向及び高さ方向に移動自在に取り付けられる手段を有し、被磁気誘動時計目盛板が被磁気誘動表示針と共に磁気誘動により前面板を摺動移動する事を特徴とする請求項３及び請求項４記載の時計付き写真立て
【発明の詳細な説明】
【技術分野】
【０００１】
本発明は隙間を隔てて表示時針を磁気誘動させる時計機能を有し、この隙間に写真や絵を挿入して飾る事が出来る時計付き写真立てに関するものである。
【背景技術】
【０００２】
時計ムーブメントに磁石を取り付けた長針と短針（以下磁気誘動駆動針と称する）を装着し、この磁力により、隙間を隔ててこれに対向した磁石を取り付けた長針と短針（以下被磁気誘動表示針と称する）を磁気誘動させ、この隙間に写真や絵を（以下表示物と称す）
挿入して飾る特許文献１の様な時計が存在するが、本発明はこの様な機能を有する時計付き写真立てに関するものである。
【０００３】
写真立には背板を開閉して表示物を取り替える方式のものや、透明な前面板をネジで緩締して背板との間に着脱するもの等色々な方式のものがありこれらに対応した時計付き写真立てを完成させるためには、これらの方式に応じたアッセンブルを行う事が必要で、複雑な工程と過大な費用を必要とする欠点があった。
【先行技術文献】
【特許文献】
【０００４】
【特許文献１】特開平１０−４８３５１
【発明の概要】
【発明が解決しようとする課題】
【０００５】
本発明は上記した欠点を解消し、色々な方式の写真立てに対応して少ない工程で組み立てて完成させる事を可能にしようとするものである。また、縦向き写真立て、横向き写真立てにもする事が出来て、正しく時計表示が出来るような時計付き写真立てと、表示物の表示主体の箇所を被磁気誘動表示針が隠す事が無い様に上下左右に時計表示を移動させる事を可能にするものである。
【課題を解決するための手段】
【０００６】
磁石を固着した時針を装着した時計ムーブメントをケーシングしてモジュール化（以下磁気誘動時計モジュールと称す）し、これを時計機能付き写真立てのパーツとして汎用的に利用可能にする。従来に於いてこの様な時計機能付き写真立ての部品は存在していなかった。
【０００７】
色々な方式の写真立てであっても、汎用的パーツである本発明を被磁気誘動表示針と対向させてアッセンブルして、簡単な工程で時計付き写真立てを完成させること出来る様にする。
【０００８】
磁気誘動時計モジュールを縦向き、横向きに自在に取付けられる様にする。そして被磁気誘動表示針を固定した透明表示板には、数字による時刻表示は行わず、目盛りだけの時間表示にする。
【０００９】
また、被駆動表示針を支承する時刻盤の外端に磁石を取付け、固定体に幅方向及び高さ方向に自在に移動する様に取り付けられた磁気誘動時計モジュールのケーシング枠に取付けた磁石でこれを磁気誘動させて、前面板の表面を摺動移動可能にする。
【００１０】
これにより磁気誘動時計モジュールの上下左右の動きに追従して、時計目盛り板と被駆動表示針が移動し、表示物の表示主体を避けた位置に時計表示をする事が可能になるのである。
【発明の効果】
【００１１】
時計駆動部がモジュール化されているので、別途アッセンブルした写真立てと磁気誘動時計モジュールとを適宜組み立てるだけでよく、組立て時間と費用を最小限にした時計機能付き写真立てを簡単に組み立てる事が可能になる。
【００１２】
本発明を縦方向、横方向横に取り付け自在にする事が出来るので、縦方向の表示物でも横方向の表示物でも自由に表示出来る時計機能付き写真立てとなり、また磁石を最接近させる事が出来るのでより小さな磁石を使う事が可能になり小型化コスト安が実現できる。
【００１３】
更に、表示物の表示主体に位置が被磁気駆動表示針に隠されない様にする事が出来るので、どの様な構図の表示物もに対応できる。
【００１４】
【図面の簡単な説明】
【００１５】
【図１】磁気誘動時計モジュールの構造を示した図
【図２】磁気誘動時計モジュールに取付耳片を有する図
【図３】表示物を挟み付けて表示する方式の時計付き写真立て
【図４】蝶番で開閉する方式の時計付き写真立て
【図５】磁気誘動時計モジュールを縦横自在に取付けて縦置き横置きが出来る時計付き写真立て
【図６】磁気誘動時計モジュールが上下左右に移動自在で被磁気誘動表示針を追従移動させる時              計付き写真立て
【発明を実施するための形態】
【００１６】
図１に示す様に時計ムーブメント１００に、磁石８００を固着した磁気誘動駆動長針１５０と磁気誘動駆動短針１６０を装着し、これを筐体２００と塞ぎ板２５０でケーシング封入する。これにより、組み立て中に磁気誘動駆動長針１５０と磁気誘動駆動短針１６０が脱落する心配のない、部品としての磁気誘動時計モジュール５００が構成されるのである。
【００１７】
図２は磁気誘動時計モジュール５００に取付耳片５８０を固定したもので、この固定位置は磁気誘動時計モジュール５００の前縁端から１ミリ乃至数ミリ程度であり、この１ミリ乃至数ミリ程度の板厚の固定体３００に動時計モジュール５００に合致する穴を開けてこれを差し込んで固定する事により、磁気誘動時計モジュール５００の前縁端と固定体３００の表面とを面一にする事ができる。
【００１８】
この磁気誘動時計モジュール５００を、図３に示す様に板状の固定体３００に固定し、この前面に一定の空隙を設けて、被磁気誘動表示針４２０を回転自在に取付けた透明な透明前面板４００を取付けて、この間に表示物Ｄを差し替え自在に挟み付ける方式の時計付き写真立てを簡単に作る事が出来る。
【００１９】
図４は蝶番６００で板状の透明前面板４００を開閉する方式のものである。この様に汎用的な部品としての磁気誘動時計モジュール５００を使う事により、色々な形式の時計付き写真立てを簡単に組み立てる事が可能になるのである。
【００２０】
図５は磁気誘動時計モジュール５００を底片３５０付きの固定体３００に９０°単位で回転自在に取り付ける手段を有するものである。そして前面板４００に時刻表示のない時計目盛り４３０をする。これにより、横向きの表示物でも、縦向きの表示物でも自由に表示する事が出来て、時計表示も正常な時計機能付き写真立てを簡単に組み立てる事が可能になるのである。
【００２１】
また、この図５に於いては磁気誘動時計モジュール５００と被磁気誘動表示針４２０との間隙を最短にして、弱い磁石でも磁気誘が行える様にしたもので、固定体３００に穿ったモジュール差込窓３１０に磁気誘動時計モジュール５００を嵌め込み、取付耳片５８０で取り付ける事により、固定体３００表面と面一となるため磁石が最近接するので、磁力の小さな磁石でも磁気誘動する事ができる。
【００２２】
因みに図２に示すものや図３に示すものでは、被磁気誘動表示針４２０と磁気誘動時計モジュール５００との隙間が固定体３００の板厚分αだけ広くなり、最近接とはならないが、市販の１ミリφ程度ネオジム磁石で十分磁気誘動する事が可能である。
【００２３】
図６は磁気誘動時計モジュール５００が上下左右に移動自在であり、被磁気誘動表示針４２０をこれに追従移動させるもので、固定体３００が底板であり、これに表示物保持シート７００を抜き差しする事が出来るようにコの字型を呈した透明表示板４００を固定する。そしてこの固定体３００には左右案内溝３２０を有し、これに磁気誘動時計モジュール５００を上下に移動取付する事の出来るモジュール取付枠３５０が嵌合する。これにより、磁気誘動時計モジュール５００は透明表示板４００の背面を上下左右に移動することが可能になり、この移動に追従して、被磁気誘動表示針付き時計目盛り盤４５０が透明前面板４００の表面上を摺動して任意位置に移動可能になるのである。これにより、表示物の表示主体を被磁気誘動表示針４２０が隠す事を避ける事が出来るのである。
【符号の説明】
【００２４】
１００  時計ムーブメント
１２０  時計回転軸
１５０  磁気誘動長針
１６０  磁気誘動短針  
２００  筐体    
２１０  ノブ穴
２２０  電池穴
２５０  塞ぎ板
３００  固定体
３１０  モジュール差込窓
３２０  左右案内溝
３５０  モジュール取付枠
４００  透明前面板
４２０  被磁気誘動表示針
４３０  時計目盛り
４５０  被磁気誘動表示針付き時計目盛り盤
５００  磁気誘動時計モジュール
５８０  取付耳片
６００  蝶番
６５０  被磁気誘動表示針                  
７００  表示物保持シート
Ｄ１    横向き表示物  
Ｄ２    縦向き表示物
α        取付体の板厚
【図１】
2017049113.tif 000003
【図２】
2017049113.tif 000004
【図３】
2017049113.tif 000005
【図４】
2017049113.tif 000006
【図５】
2017049113.tif 000007
【図６】
2017049113.tif 000008